(57)【要約】【課題】  ウィンドウを容易に切り替えることができる表示システムおよび表示プログラムを提供する。【解決手段】  表示画面１１１を有する表示部１１と、タッチ操作の位置情報を取得するタッチパネル部１２と、表示部１１を制御する制御部１３とを備える表示システム１において、制御部１３を、表示画面１１１に表示すべき複数のウィンドウのうち、１つのウィンドウを作業対象のウィンドウとして前面に表示させるウィンドウ表示部１３１、表示画面１１１の縦方向端部においてスライド操作が行われたか否かを判断する第１特定スライド操作判断部１３２、および、縦方向端部におけるスライド操作が行われた場合に、前面に表示されている１つのウィンドウを、複数のウィンドウのうちの他の１つのウィンドウに切り替え、作業対象のウィンドウとして前面に表示させるウィンドウ切替部１３５として機能させる。【選択図】      図２
2013200826.tif 000002
【特許請求の範囲】
【請求項１】
矩形状の表示画面を有する表示部と、
タッチ操作が行われたときに、そのタッチ操作を行った対象の位置に関する情報を取得するタッチパネル部と、
前記表示部を制御する制御部であって、
前記表示画面に複数のウィンドウを表示させるウィンドウ表示部であって、前記複数のウィンドウのうちの１つのウィンドウを作業対象のウィンドウとして前面に表示させるウィンドウ表示部と、
タッチ操作が行われたときに、そのタッチ操作が、前記表示画面の縦方向端部または縦方向端部よりも外側におけるスライド操作であるか否かを、前記タッチパネル部によって取得された情報に基づいて判断する第１特定スライド操作判断部と、
タッチ操作は前記表示画面の縦方向端部または縦方向端部よりも外側におけるスライド操作であると前記第１特定スライド操作判断部が判断した場合に、前面に表示されている前記１つのウィンドウを、前記複数のウィンドウのうちの他の１つのウィンドウに切り替え、作業対象のウィンドウとして前面に表示させるウィンドウ切替部とを含む制御部とを備えることを特徴とする表示システム。
【請求項２】
前記制御部は、
タッチ操作が行われたときに、そのタッチ操作が、前記表示画面の横方向端部または横方向端部よりも外側におけるスライド操作であるか否かを、前記タッチパネル部によって取得された情報に基づいて判断する第２特定スライド操作判断部と、
タッチ操作は前記表示画面の横方向端部または横方向端部よりも外側におけるスライド操作であると前記第２特定スライド操作判断部が判断した場合に、前記表示部または前記制御部に関する設定を変更する設定変更部とを含むことを特徴とする請求項１に記載の表示システム。
【請求項３】
前記表示部または前記制御部に関する設定は、前記表示画面の明るさに関する設定、または、前記作業対象のウィンドウの表示倍率に関する設定であることを特徴とする請求項２に記載の表示システム。
【請求項４】
前記設定変更部は、前記表示部または前記制御部に関する設定として、前記表示画面の明るさに関する設定を変更するとき、
前記スライド操作におけるスライド距離が長ければ、前記表示画面の明るさが大きく変化するように設定を変更し、
前記スライド操作におけるスライド距離が短ければ、前記表示画面の明るさが小さく変化するように設定を変更することを特徴とする請求項３に記載の表示システム。
【請求項５】
タッチパネル部および表示部を備えるコンピュータを、請求項１〜４のいずれか１つに記載の表示システムとして機能させることを特徴とする表示プログラム。
【発明の詳細な説明】
【技術分野】
【０００１】
本発明は、表示システムおよび表示プログラムに関する。
【背景技術】
【０００２】
近年のパーソナルコンピュータ（ＰＣ）に用いられる基本ソフトウェアには、１度に複数のアプリケーションプログラムを起動することができ、かつ１つの画面内に、起動された複数のアプリケーションプログラムに対応する複数のウィンドウを表示することができるグラフィックユーザインタフェイス（ＧＵＩ）が採用されている。たとえば、特許文献１には、ＰＣに付属する入力部であるマウスによって、作業対象のアプリケーションプログラムに対応するウィンドウを切り替えて、起動中の他のアプリケーションプログラムに対応するウィンドウを前面に表示させることが可能なＧＵＩが記載されている。ウィンドウの切替えは、たとえば、複数のウィンドウのうち、背面に表示されているウィンドウをクリックしたり、背面に表示されているウィンドウに対応するタブをクリックしたりすることで、行われる。
【０００３】
特許文献２には、このような近年のＰＣと、タッチパネルおよびディスプレイを組み合わせて１つの表示システムを構成することが記載されている。たとえば、ＰＣおよびタッチパネルを備える表示システムの場合は、上記のようなマウスの操作以外に、背面に表示されているウィンドウに対するタッチ操作を行ったり、背面に表示されているウィンドウに対応するタブに対するタッチ操作を行ったりすることによっても、ウィンドウの切替を行うことができる。
【先行技術文献】
【特許文献】
【０００４】
【特許文献１】特開平８−２７２５７７号公報
【特許文献２】特開２００９−１８７０９４号公報
【発明の概要】
【発明が解決しようとする課題】
【０００５】
上記のような表示システムは、電子黒板として用いられる場合がある。電子黒板の場合、一般的に、ディスプレイの表示画面は大きく構成され、ユーザは、表示画面付近において、電子黒板を利用する。したがって、タッチパネルの操作によってウィンドウを切り替えようとする場合、ユーザは、ウィンドウやタブの前に移動しなければならなくなり、容易にウィンドウを切り替えることができない。また、表示システムに付属するマウスの操作によってウィンドウを切り替えようとする場合、ユーザは、ウィンドウやタブの前には移動しなくてもよいけれども、通常、マウスおよびＰＣはディスプレイから離れた位置に設置されるので、マウスの前に移動しなければならなくなり、やはり、容易にウィンドウを切り替えることができない。
【０００６】
本発明は、上述した課題を解決するためのものであり、ウィンドウを容易に切り替えることができる表示システムおよび表示プログラムを提供することを目的とする。
【課題を解決するための手段】
【０００７】
本発明は、矩形状の表示画面を有する表示部と、
タッチ操作が行われたときに、そのタッチ操作を行った対象の位置に関する情報を取得するタッチパネル部と、
前記表示部を制御する制御部であって、
前記表示画面に複数のウィンドウを表示させるウィンドウ表示部であって、前記複数のウィンドウのうちの１つのウィンドウを作業対象のウィンドウとして前面に表示させるウィンドウ表示部と、
タッチ操作が行われたときに、そのタッチ操作が、前記表示画面の縦方向端部または縦方向端部よりも外側におけるスライド操作であるか否かを、前記タッチパネル部によって取得された情報に基づいて判断する第１特定スライド操作判断部と、
タッチ操作は前記表示画面の縦方向端部または縦方向端部よりも外側におけるスライド操作であると前記第１特定スライド操作判断部が判断した場合に、前面に表示されている前記１つのウィンドウを、前記複数のウィンドウのうちの他の１つのウィンドウに切り替え、作業対象のウィンドウとして前面に表示させるウィンドウ切替部とを含む制御部とを備えることを特徴とする表示システムである。
【０００８】
また本発明は、前記制御部は、
タッチ操作が行われたときに、そのタッチ操作が、前記表示画面の横方向端部または横方向端部よりも外側におけるスライド操作であるか否かを、前記タッチパネル部によって取得された情報に基づいて判断する第２特定スライド操作判断部と、
タッチ操作は前記表示画面の横方向端部または横方向端部よりも外側におけるスライド操作であると前記第２特定スライド操作判断部が判断した場合に、前記表示部または前記制御部に関する設定を変更する設定変更部とを含むことを特徴とする。
【０００９】
また本発明は、前記表示部または前記制御部に関する設定は、前記表示画面の明るさに関する設定、または、前記作業対象のウィンドウの表示倍率に関する設定であることを特徴とする。
【００１０】
また本発明は、前記設定変更部は、前記表示部または前記制御部に関する設定として、前記表示画面の明るさに関する設定を変更するとき、
前記スライド操作におけるスライド距離が長ければ、前記表示画面の明るさが大きく変化するように設定を変更し、
前記スライド操作におけるスライド距離が短ければ、前記表示画面の明るさが小さく変化するように設定を変更することを特徴とする。
【００１１】
また本発明は、タッチパネル部および表示部を備えるコンピュータを、前記表示システムとして機能させることを特徴とする表示プログラムである。
【発明の効果】
【００１２】
本発明によれば、表示画面の縦方向端部または縦方向端部よりも外側におけるスライド操作を行うことで、ウィンドウ切替部によって作業対象のウィンドウが切り替えられるので、ウィンドウを容易に切り替えることができる。
【００１３】
また本発明によれば、表示画面の横方向端部または横方向端部よりも外側におけるスライド操作を行うことで、設定変更部によって表示部または制御部の設定が変更されるので、表示部または制御部の設定を容易に変更することができる。
【００１４】
また本発明によれば、表示画面の横方向端部または横方向端部よりも外側におけるスライド操作を行うことで、表示画面の明るさに関する設定、または、作業対象のウィンドウの表示倍率に関する設定を変更することができる。
【００１５】
また本発明によれば、表示画面の横方向端部または横方向端部よりも外側におけるスライド操作におけるスライド距離を調節することで、表示画面の明るさを調節することができる。
【００１６】
また本発明によれば、タッチパネル部および表示部を備えるコンピュータを前記表示システムとして機能させる表示プログラムを提供することができる。
【図面の簡単な説明】
【００１７】
【図１】表示システム１の外観を示す模式図である。
【図２】表示システム１の構成を示すブロック図である。
【図３】表示システム１におけるウィンドウおよびタブの表示例を示す図である。
【図４】表示システム１における特定の操作について説明するための図である。
【図５】ウィンドウ切替部１３５の動作による表示画面１１１の表示例を示す図である。
【図６】設定変更部１３６が作業対象のウィンドウ内の画像の表示倍率に関する設定を変更する場合の表示画面１１１の表示例を示す図である。
【図７】画像スライド部１３７の動作による表示画面１１１の表示例を示す図である。
【図８】表示システム１の動作を示すフローチャートである。
【発明を実施するための形態】
【００１８】
以下に、本発明の実施形態の１つである表示システム１について説明する。図１は、表示システム１の外観を示す模式図である。表示システム１は、たとえば、縦１００ｃｍ、横１５０ｃｍ程度の矩形状の表示画面１１１を有する。表示システム１は、たとえば電子黒板として用いられ、表示画面１１１に表示されるアイコンにタッチ操作が行われたときにそのアイコンに対応するウィンドウを表示画面１１１に表示したり、描画可能な領域にタッチ操作が行われたときにそのタッチ操作に対応する図形を表示画面１１１に表示したりする。
【００１９】
ここで、タッチ操作とは、表示画面１１１への接触が開始してから接触が終了するまでの、表示画面１１１に対する一連の操作である。たとえば、ユーザが、手指やスタイラスなどで表示画面１１１に触れ、接触箇所を動かさずに、手指やスタイラスなどを表示画面１１１から離す一連の操作を行うとき、この操作は表示画面１１１に対する点状の操作である。また、たとえば、ユーザが、手指やスタイラスなどで表示画面１１１に触れ、触れたまま接触箇所を移動させ、手指やスタイラスなどを表示画面１１１から離す一連の操作を行うとき、この操作は表示画面１１１に対するスライド操作である。
【００２０】
上記のような電子黒板として用いることができる公知のシステムとしては、従来公知のＰＣと、タッチパネル一体型ディスプレイＰＮ−Ｌ６００Ｂ（シャープ株式会社製）などの表示装置とから構成されるシステムを挙げることができる。本実施形態は、このようなシステムに、後述する各部１３１〜１３８の機能を発揮させるためのプログラムである表示プログラムを記憶させたものである。なお、本発明の他の実施形態としては、後述する各部１３１〜１３８の機能をそれぞれ発揮するＩＣ（Integrated Circuit）チップを備える表示装置であってもよい。
【００２１】
図２は、表示システム１の構成を示すブロック図である。表示システム１は、表示部１１と、タッチパネル部１２と、制御部１３とを備える。
【００２２】
表示部１１は、たとえば、液晶ディスプレイ、ＥＬ（ElectroLuminescence）ディスプレイ、プラズマディスプレイなどである。表示部１１は、制御部１３によって制御されることで、表示画面１１１に画像を表示する。なお、本発明の他の実施形態としては、表示部１１が、スクリーンを表示画面１１１として、その表示画面１１１に画像を投影するプロジェクタであってもよい。
【００２３】
タッチパネル部１２は、投影型静電容量方式タッチパネル、抵抗膜方式タッチパネル、赤外線遮断検出方式タッチパネルなどから構成される。タッチパネル部１２は、タッチ操作が行われると、そのタッチ操作が行われた位置に関する情報（以下、「位置情報」と称する）を取得し、制御部１３へ出力する。本実施形態では、タッチパネル部１２によって位置情報を取得可能な領域は、表示画面１１１よりも一回り大きな領域である。具体的には、位置情報を取得可能な領域は、表示画面１１１上の領域、ならびに、後述する縦端部領域１１１ａよりも表示画面１１１の縦方向外側に所定の幅の領域および後述する横端部領域１１１ｂよりも表示画面１１１の横方向外側に所定の幅の領域である。ここで、所定の幅は、たとえば、１ｃｍ〜３ｃｍ程度である。
【００２４】
制御部１３は、たとえばＰＣであり、ＣＰＵ（Central Processing Unit）などの制御演算回路と、ＤＤＲ  ＳＤＲＡＭ（Double Data Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk Drive）などの不揮発性メモリを含む記憶回路とを含む。制御部１３の記憶回路には、本発明に係る表示プログラムが記憶され、これによって、制御部１３は、ウィンドウ表示部１３１、第１特定スライド操作判断部１３２、第２特定スライド操作判断部１３３、第３特定スライド操作判断部１３４、ウィンドウ切替部１３５、設定変更部１３６、画像スライド部１３７、および機能変更部１３８の機能を発揮する。
【００２５】
ウィンドウ表示部１３１は、表示画面１１１に表示すべき複数のウィンドウのうち、１つのウィンドウを作業対象のウィンドウとして前面に表示させる。たとえば、表示画面１１１に、あるアプリケーションプログラムに対応するアイコンが表示されており、かつ、ウィンドウが１つも表示されていない場合において、そのアイコンに対して、短い時間内での連続した２回のタッチ操作（以下、「ダブルクリック」と称する）が行われたとき、ウィンドウ表示部１３１は、そのアイコンに対応するアプリケーションプログラムを起動させ、そのアプリケーションプログラムに対応するウィンドウを、表示画面１１１に、所定の大きさで所定の箇所に表示させる。また、たとえば、表示画面１１１に、あるアプリケーションプログラムに対応するアイコンが表示されており、かつ、そのアプリケーションプログラムとは別のアプリケーションプログラムに対応するウィンドウが１つ以上既に表示されている場合において、そのアイコンに対してダブルクリックが行われたとき、ウィンドウ表示部１３１は、そのアイコンに対応するアプリケーションプログラムを起動させ、そのアプリケーションプログラムに対応するウィンドウを、表示画面１１１において既に表示されていたウィンドウよりも前面に、所定の大きさで所定の箇所に表示させる。このようにして、ウィンドウ表示部１３１によって新たに表示されたウィンドウは、作業対象のウィンドウとなる。
【００２６】
ウィンドウ表示部１３１は、上記のようにしてウィンドウを表示させるとともに、表示画面１１１の下部に、アイコンに対応するタブを表示させる。図３に、表示システム１におけるウィンドウおよびタブの表示例を示す。図３（ａ）に示すウィンドウＷ１およびタブＴ１は、たとえば、アイコンＩ１に対してダブルクリックが行われたときに表示されるウィンドウおよびタブである。ウィンドウ表示部１３１は、アプリケーションプログラムを起動した順序を記憶しており、２つ以上のアプリケーションプログラムを起動すると、起動した順に、表示画面１１１において左側から対応するタブを表示させる。たとえば、図３（ａ）に示す状態においてアイコンＩ２に対してダブルクリックが行われると、ウィンドウ表示部１３１は、図３（ｂ）に示すように、アイコンＩ２に対応するウィンドウＷ２をウィンドウＷ１よりも前面に表示させるとともに、アイコンＩ２に対応するタブＴ２をタブＴ１の右側に表示させる。なお、ウィンドウ表示部１３１は、作業対象のウィンドウに対応するタブを、それ以外のタブとは異なる表示態様で表示させる。
【００２７】
第１特定スライド操作判断部１３２、第２特定スライド操作判断部１３３、および第３特定スライド操作判断部１３４は、タッチパネル部１２から位置情報が入力されたときに、タッチ操作が特定の操作であるか否かを判断する。図４を用いて、表示システム１における特定の操作について説明する。
【００２８】
図４は、表示画面１１１を示している。表示画面１１１は、縦端部領域１１１ａと、横端部領域１１１ｂと、中央領域１１１ｃとに区分される。縦端部領域１１１ａは、表示画面１１１の縦方向における端部領域であって、表示画面１１１の横方向両端にわたって延び、縦方向における長さが、表示画面１１１の縦方向における長さの１％〜５％となる領域である。横端部領域１１１ｂは、表示画面１１１の横方向における端部領域であって、縦端部領域１１１ａにわたって延び、横方向における長さが、表示画面１１１の横方向における長さの１％〜５％となる領域である。中央領域１１１ｃは、表示画面１１１の全領域から、縦端部領域１１１ａおよび横端部領域１１１ｂを除いた領域である。
【００２９】
第１特定スライド操作判断部１３２は、タッチパネル部１２から位置情報が入力されたときに、タッチ操作が、縦端部領域１１１ａ内におけるスライド操作または縦端部領域１１１ａよりも表示画面１１１の縦方向外側におけるスライド操作（第１特定スライド操作）であるか否かを判断する。なお、第１特定スライド操作判断部１３２は、少なくともタッチ操作の始点（接触開始位置）と終点（接触終了位置）とが、縦端部領域１１１ａ内であったり、縦端部領域１１１ａよりも表示画面１１１の縦方向外側であったりしたときに第１特定スライド操作であると判断するように構成されてもよいし、タッチ操作の各点が縦端部領域１１１ａ内であったり、縦端部領域１１１ａよりも表示画面１１１の縦方向外側であったりしたときにのみ、第１特定スライド操作であると判断するように構成されてもよい。
【００３０】
第２特定スライド操作判断部１３３は、タッチパネル部１２から位置情報が入力されたときに、タッチ操作が、横端部領域１１１ｂ内におけるスライド操作または横端部領域１１１ｂよりも表示画面１１１の横方向外側におけるスライド操作（第２特定スライド操作）であるか否かを判断する。なお、第２特定スライド操作判断部１３３は、少なくともタッチ操作の始点と終点とが、横端部領域１１１ｂ内であったり、横端部領域１１１ｂよりも表示画面１１１の横方向外側であったりしたときに第２特定スライド操作であると判断するように構成されてもよいし、タッチ操作の各点が横端部領域１１１ｂ内であったり、横端部領域１１１ｂよりも表示画面１１１の横方向外側であったりしたときにのみ、第２特定スライド操作であると判断するように構成されてもよい。
【００３１】
第３特定スライド操作判断部１３４は、タッチパネル部１２から位置情報が入力されたときに、タッチ操作が、中央領域１１１ｃ内におけるスライド操作（第３特定スライド操作）であるか否かを判断する。なお、第３特定スライド操作判断部１３４は、少なくともタッチ操作の始点と終点とが中央領域１１１ｃ内にあるときに第３特定スライド操作であると判断するように構成されてもよいし、タッチ操作の各点が中央領域１１１ｃ内にあるときにのみ、第３特定スライド操作であると判断するように構成されてもよい。
【００３２】
ウィンドウ切替部１３５は、第１特定スライド操作が行われたと第１特定スライド操作判断部１３２が判断した場合に、ウィンドウ表示部１３１によって前面に表示されている１つのウィンドウを、ウィンドウ表示部１３１によって起動されているアプリケーションプログラムに対応する他の１つのウィンドウに切り替え、作業対象のウィンドウとして前面に表示させる。
【００３３】
以下に、（ａ）〜（ｄ）の場合にわけて、ウィンドウ切替部１３５の機能を説明する。
（ａ）アプリケーションプログラムが１つも起動されておらず、ウィンドウが１つも表示されていない場合
ウィンドウ切替部１３５は、ウィンドウの切替動作を行わず、表示画面１１１の表示状態に変化は生じない。
【００３４】
（ｂ）アプリケーションプログラムが１つのみ起動されており、そのアプリケーションプログラムに対応するウィンドウが表示されている場合
ウィンドウ切替部１３５は、ウィンドウの切替動作を行わず、表示画面１１１の表示状態に変化は生じない。
【００３５】
（ｃ）アプリケーションプログラムが１つ以上起動されているが、アプリケーションプログラムに対応するウィンドウが１つも表示されていない場合
このような場合の具体例としては、たとえば、アプリケーションプログラムは起動しているが、そのアプリケーションプログラムに対応するウィンドウが最小化されており、表示画面１１１にはウィンドウが１つも表示されていない状態がある。この状態の場合、ウィンドウ切替部１３５は、起動した順番が最も先のアプリケーションプログラムに対応するウィンドウを、作業対象のウィンドウとして表示画面１１１に表示させる。
【００３６】
（ｄ）アプリケーションプログラムが２つ以上起動されており、いずれかのアプリケーションプログラムに対応するウィンドウが表示されている場合
（ｄ１）スライド操作が左から右へのスライド操作であるとき
アプリケーションプログラムが２つ以上起動されており、いずれかのアプリケーションプログラムに対応するウィンドウが表示されている場合において、左から右へのスライド操作が行われたとき、ウィンドウ切替部１３５は、作業対象のウィンドウとして前面に表示されているウィンドウを、そのウィンドウに対応するアプリケーションプログラムよりも起動された順番が１つ後のアプリケーションプログラムに対応するウィンドウに切り替え、作業対象のウィンドウとして前面に表示させる。ここで、左から右へのスライド操作とは、タッチ操作の終点の、表示画面１１１の横方向における位置が、そのタッチ操作の始点の、表示画面１１１の横方向における位置よりも右側となるタッチ操作である。なお、起動された順番が最も後のアプリケーションプログラムよりも起動された順番が１つ後のアプリケーションプログラムは存在しないので、ウィンドウ切替部１３５は、起動された順番が最も先のアプリケーションプログラムを、起動された順番が最も後のアプリケーションプログラムよりも起動された順番が１つ後のアプリケーションプログラムとみなす。
【００３７】
（ｄ２）スライド操作が右から左へのスライド操作であるとき
アプリケーションプログラムが２つ以上起動されており、いずれかのアプリケーションプログラムに対応するウィンドウが表示されている場合において、右から左へのスライド操作が行われたとき、ウィンドウ切替部１３５は、作業対象のウィンドウとして前面に表示されているウィンドウを、そのウィンドウに対応するアプリケーションプログラムよりも起動された順番が１つ先のアプリケーションプログラムに対応するウィンドウに切り替え、作業対象のウィンドウとして前面に表示させる。ここで、右から左へのスライド操作とは、タッチ操作の終点の、表示画面１１１の横方向における位置が、そのタッチ操作の始点の、表示画面１１１の横方向における位置よりも左側となるタッチ操作である。なお、起動された順番が最も先のアプリケーションプログラムよりも起動された順番が１つ先のアプリケーションプログラムは存在しないので、ウィンドウ切替部１３５は、起動された順番が最も後のアプリケーションプログラムを、起動された順番が最も先のアプリケーションプログラムよりも起動された順番が１つ先のアプリケーションプログラムとみなす。
【００３８】
（ｄ３）スライド操作が、左から右へのスライド操作でもなく、右から左へのスライド操作でないとき
ウィンドウ切替部１３５は、ウィンドウの切替動作を行わず、表示画面１１１の表示状態に変化は生じない。
【００３９】
このようなウィンドウ切替部１３５の動作例による表示画面１１１の表示例を図５に示す。図５（ａ）では、アイコンＩ１〜Ｉ４に対応するアプリケーションプログラムがすべて起動されており、アイコンＩ１〜Ｉ４に対応するウィンドウＷ１〜Ｗ４がすべて表示されており、そのうち、ウィンドウＷ２が前面に表示されている。また、アイコンＩ１〜Ｉ４に対応するアプリケーションプログラムは、この順番で起動されており、アイコンＩ１〜Ｉ４に対応するタブＴ１〜Ｔ４は、表示画面１１１の左側からこの順番で表示されている。
【００４０】
図５（ａ）に示す状態において、矢符Ｒ１で示す左から右への第１特定スライド操作が行われると、ウィンドウ切替部１３５は、表示画面１１１の状態を、図５（ｂ）に示す状態に変化させる。図５（ｂ）では、ウィンドウＷ３が前面に表示されている。
【００４１】
なお、ウィンドウ切替部１３５は、縦端部領域１１１ａ内の特定の領域、たとえば、上側の縦端部領域１１１ａにおける左側の領域内や、下側の縦端部領域１１１ａにおける右側の領域内においてスライド操作が行われたときにのみ、上記のようなウィンドウの切替えを行うように構成されてもよい。また、（ｄ１）および（ｄ２）の場合、ウィンドウ切替部１３５は、順番が１つ先または１つ後のウィンドウを前面に表示させるとしたが、その代わりに、スライド操作のスライド距離に応じて、前面に表示させるウィンドウを異ならせるように構成されてもよい。
【００４２】
たとえば、（ｄ１）の場合において、起動中のアプリケーションプログラムの数がｎ（ｎは２以上の整数）個であり、左から右へのスライド操作における横方向のスライド距離が、所定の長さ（たとえば、表示画面１１１の横方向における長さの５％〜２０％程度の長さ）をｎ等分した長さの、ｋ（ｋは０以上ｎ−１以下の整数）倍より大きくｋ＋１倍以下の長さであるときに、前面に表示中のウィンドウに対応するアプリケーションプログラムよりも起動された順番がｋ＋１個後のアプリケーションプログラムに対応するウィンドウに切り替えるように、ウィンドウ切替部１３５が構成されてもよい。同様に、（ｄ２）の場合において、起動中のアプリケーションプログラムの数がｎ（ｎは２以上の整数）個であり、右から左へのスライド操作における横方向のスライド距離が、所定の長さ（たとえば、表示画面１１１の横方向における長さの５％〜２０％程度の長さ）をｎ等分した長さの、ｋ（ｋは０以上ｎ−１以下の整数）倍より大きくｋ＋１倍以下の長さであるときに、前面に表示中のウィンドウに対応するアプリケーションプログラムよりも起動された順番がｋ＋１個先のアプリケーションプログラムに対応するウィンドウに切り替えるように、ウィンドウ切替部１３５が構成されてもよい。このように構成される場合、所定の長さの範囲内でスライド操作を行うことで、１度のスライド操作によって、任意のウィンドウに切り替えることができる。
【００４３】
ウィンドウ切替部１３５による処理は、他の処理よりも優先して行われる。たとえば、従来の表示システムでは、前面に表示中以外のウィンドウに対応するタブに対してタッチ操作が行われると、そのタブに対応するウィンドウが前面に表示されるが、本実施形態では、縦端部領域１１１ａ内かつタブ内において左から右へのスライド操作（または右から左へのスライド操作）が行われても、そのタブに対応するウィンドウが前面に表示されるのではなく、上述したように、前面に表示中のウィンドウに対応するアプリケーションプログラムよりも起動された順番が後（または先）のアプリケーションプログラムに対応するウィンドウが、前面に表示される。
【００４４】
設定変更部１３６は、第２特定スライド操作が行われたと第２特定スライド操作判断部１３３が判断した場合に、表示部１１または制御部１３に関する設定を変更する。たとえば、設定変更部１３６は、表示部１１または制御部１３に関する設定として、表示画面１１１の明るさに関する設定や、作業対象のウィンドウ内の画像の表示倍率に関する設定、表示システム１が音を出力可能に構成されるときにおける出力音量に関する設定などを変更する。なお、設定変更部１３６による処理は、ウィンドウ切替部１３５による処理と同様に、他の処理よりも優先して行われる。
【００４５】
表示画面１１１の明るさに関する設定は、表示画面１１１全体に関する設定であり、従来の表示システムでは、ＰＣに付属するキーボードのファンクションキーを押下することによって変更可能なものである。本実施形態では、設定変更部１３６は、表示画面１１１の明るさに関する設定を変更する場合、スライド操作のスライド距離が長ければ、表示画面１１１の明るさが大きく変化するように設定を変更し、スライド操作のスライド距離が短ければ、表示画面１１１の明るさが小さく変化するように設定を変更する。
【００４６】
たとえば、設定変更部１３６は、第２特定スライド操作が、下から上へのスライド操作であるときに、スライド距離に比例して、表示画面１１１が明るくなるように設定を変更する。また、たとえば、設定変更部１３６は、第２特定スライド操作が、上から下へのスライド操作であるときに、スライド距離に比例して、表示画面１１１が暗くなるように設定を変更する。ここで、下から上へのスライド操作とは、タッチ操作の終点の、表示画面１１１の縦方向における位置が、そのタッチ操作の始点の、表示画面１１１の縦方向における位置よりも上側となるタッチ操作である。また、上から下へのスライド操作とは、タッチ操作の終点の、表示画面１１１の縦方向における位置が、そのタッチ操作の始点の、表示画面１１１の縦方向における位置よりも下側となるタッチ操作である。
【００４７】
作業対象のウィンドウ内の画像の表示倍率に関する設定は、作業対象のウィンドウ内の画像のみに関する設定であり、設定が変更されれば、作業対象のウィンドウではなくなっても、変更後の設定で画像が表示される。設定変更部１３６は、作業対象のウィンドウ内の画像の表示倍率に関する設定を変更する場合、スライド操作のスライド距離が長ければ、そのウィンドウ内の画像のサイズが大きく変化するように設定を変更し、スライド操作のスライド距離が短ければ、そのウィンドウ内の画像のサイズが小さく変化するように設定を変更する。なお、画像のサイズがウィンドウの外枠よりも大きく、ウィンドウ内に入りきらないときには、画像の一部がウィンドウ内に表示される。
【００４８】
たとえば、設定変更部１３６は、第２特定スライド操作が、下から上へのスライド操作であるときに、スライド距離に比例して、作業対象のウィンドウ内の画像を拡大するように設定を変更する。また、たとえば、設定変更部１３６は、第２特定スライド操作が、上から下へのスライド操作であるときに、スライド距離に比例して、作業対象のウィンドウ内の画像を縮小するように設定を変更する。
【００４９】
設定変更部１３６が作業対象のウィンドウ内の画像の表示倍率に関する設定を変更する場合の表示画面１１１の表示例を図６に示す。図６（ａ）では、アイコンＩ１に対応するアプリケーションプログラムが起動され、アイコンＩ１に対応するウィンドウＷ１が表示されており、ウィンドウＷ１内にアルファベットの「Ａ」の全体が表示されている。図６（ａ）に示す状態において、矢符Ｒ２で示す下から上への第２特定スライド操作が行われると、設定変更部１３６は、表示画面１１１の状態を、図６（ｂ）に示す状態に変化させる。図６（ｂ）では、ウィンドウＷ１内において、拡大されたアルファベットの「Ａ」の一部分が表示されている。
【００５０】
出力音量に関する設定は、表示システム１のスピーカなどに関する設定であり、従来の表示システムでは、ＰＣに付属するキーボードのファンクションキーを押下することによって変更可能なものである。本実施形態では、設定変更部１３６は、出力音量に関する設定を変更する場合、スライド操作のスライド距離が長ければ、出力音量が大きく変化するように設定を変更し、スライド操作のスライド距離が短ければ、出力音量が小さく変化するように設定を変更する。
【００５１】
たとえば、設定変更部１３６は、第２特定スライド操作が、下から上へのスライド操作であるときに、スライド距離に比例して、出力音量が大きくなるように設定を変更する。また、たとえば、設定変更部１３６は、第２特定スライド操作が、上から下へのスライド操作であるときに、スライド距離に比例して、出力音量が小さくなるように設定を変更する。
【００５２】
画像スライド部１３７は、図６（ｂ）に示すように作業対象のウィンドウ内に画像がすべて表示されておらず一部分のみが表示されている場合において、第３特定スライド操作が行われたと第３特定スライド操作判断部１３４が判断し、かつその第３特定スライド操作が作業対象のウィンドウ内でスライド操作が行われたときに、そのウィンドウ内において画像をスライド移動させる。たとえば、画像スライド部１３７は、スライド操作の始点から終点へ向かう方向へ、始点から終点までの距離の分だけ、画像をスライド移動させる。
【００５３】
このような画像スライド部１３７の動作による表示画面１１１の表示例を図７に示す。図７（ａ）では、アイコンＩ１に対応するアプリケーションプログラムが起動され、アイコンＩ１に対応するウィンドウＷ１が表示されており、ウィンドウＷ１内に拡大されたアルファベットの「Ａ」の一部分が表示されている。図７（ａ）に示す状態において、ウィンドウＷ１内かつ中央領域１１１ｃ内において矢符Ｒ３で示す第３特定スライド操作が行われると、画像スライド部１３７は、表示画面１１１の状態を、図７（ｂ）に示す状態に変化させる。図７（ｂ）では、ウィンドウＷ１内において、拡大されたアルファベットの「Ａ」の、図７（ａ）に示す一部分とは異なる一部分が表示されている。
【００５４】
機能変更部１３８は、横端部領域１１１ｂ内において特定のタッチ操作が行われた場合に、設定変更部１３６における設定変更の対象を変更させる。たとえば、初期設定では、設定変更部１３６は表示画面１１１の明るさに関する設定を変更するようになっており、横端部領域１１１ｂ内または横端部領域１１１ｂよりも表示画面１１１の横方向外側においてダブルクリックが行われた場合、機能変更部１３８は、設定変更部１３６が作業対象のウィンドウ内の画像の表示倍率に関する設定を変更するように、設定変更の対象を変更させる。そして、さらに横端部領域１１１ｂ内または横端部領域１１１ｂよりも表示画面１１１の横方向外側においてダブルクリックが行われた場合、機能変更部１３８は、設定変更部１３６が出力音量に関する設定を変更するように、設定変更の対象を変更させる。そして、さらに横端部領域１１１ｂ内または横端部領域１１１ｂよりも表示画面１１１の横方向外側においてダブルクリックが行われた場合、機能変更部１３８は、設定変更部１３６が表示画面１１１の明るさに関する設定を変更するように、設定変更の対象を変更させる。
【００５５】
このように構成される表示システム１の動作を、図８のフローチャートで示す。ステップＳ１では、タッチパネル部１２がユーザの手指などの接触の有無を検出し、検出された場合、ステップＳ２において、接触位置を検出し、制御部１３へ位置情報を入力する。ステップＳ３では、制御部１３が、入力された位置情報に基づいて、第１特定スライド操作または第２特定スライド操作が行われたか否かを判断する。第１特定スライド操作または第２特定スライド操作が行われていればステップＳ５へ進み、第１特定スライド操作または第２特定スライド操作が行われていなければステップＳ４へ進む。
【００５６】
ステップＳ４では、制御部１３は、アイコンに対応するアプリケーションプログラムを起動したり、ウィンドウ内の画像をスライド移動させたりする。
【００５７】
ステップＳ５では、制御部１３は、第１特定スライド操作か、第２特定スライド操作かを判断する。第１特定スライド操作であればステップＳ６へ進み、第２特定スライド操作であればステップＳ７へ進む。
【００５８】
ステップＳ６では、制御部１３は、表示部１１を制御して、前面に表示される作業対象のウィンドウを、他のウィンドウへ切り替える。ステップＳ７では、制御部１３は、表示部１１を制御して、表示画面１１１の明るさを変更するか、作業対象のウィンドウ内の画像の大きさを変更するか、出力音量を変更する。
【００５９】
以上のような表示システム１によれば、表示画面１１１の縦端部領域１１１ａ内または縦端部領域１１１ａよりも表示画面１１１の縦方向外側におけるスライド操作を行うことで、ウィンドウ切替部１３５によって作業対象のウィンドウが切り替えられるので、ウィンドウを容易に切り替えることができる。また、表示画面１１１の横端部領域１１１ｂ内または横端部領域１１１ｂよりも表示画面１１１の横方向外側におけるスライド操作を行うことで、設定変更部１３６によって表示部１１または制御部１３の設定が変更されるので、表示部１１または制御部１３の設定を容易に変更することができる。なお、本発明の実施形態としては、表示画面１１１の縦方向外側および横方向外側におけるスライド操作が行われたときのみ、上記のようにウィンドウの切替えや設定の変更を行い、縦端部領域１１１ａ内や横端部領域１１１ｂ内におけるスライド操作が行われたときには、従来のように機能するのが好ましい。
【００６０】
上記表示システム１の制御部１３に記憶される表示プログラムは、タッチパネル部および表示部を備えるコンピュータを表示システム１として機能させるプログラムである。この表示プログラムは、従来公知の、コンピュータ読み取り可能な記録媒体に記録できる。
【００６１】
上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００６２】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００６３】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００６４】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【００６５】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００６６】
１  表示システム
１１  表示部
１２  タッチパネル部
１３  制御部
１１１  表示画面
１３１  ウィンドウ表示部
１３２  第１特定スライド操作判断部
１３３  第２特定スライド操作判断部
１３４  第３特定スライド操作判断部
１３５  ウィンドウ切替部
１３６  設定変更部
１３７  画像スライド部
１３８  機能変更部
【図１】
2013200826.tif 000003
【図２】
2013200826.tif 000004
【図３】
2013200826.tif 000005
【図４】
2013200826.tif 000006
【図５】
2013200826.tif 000007
【図６】
2013200826.tif 000008
【図７】
2013200826.tif 000009
【図８】
2013200826.tif 000010